(57)【要約】  本装置は、２台のベビーカーの前脚同士を連結する前部連結部材と、２台のベビーカーの後脚同士を連結する後部連結部材と、２台のベビーカーの手押しフレーム同士を連結する上部連結部材と、前部連結部材に固定された一端を有する第１リンク部材と、後部連結部材に固定された一端及び第１リンク部材の他端に回転自在に接続された他端を有する第２リンク部材と、第１リンク部材及び第２リンク部材の各他端に回転自在に接続された一端を有する第３リンク部材と、第３リンク部材の他端に回転自在に接続された一端及び前記上部連結部材に固定された他端を有する第４リンク部材と、を備える。ベビーカー２台を堅固に連結可能であり、展開状態から折畳み状態へと切換え可能である。
2016098671.tif 000002
【特許請求の範囲】
【請求項１】
２台のベビーカーを横並びで連結するためのベビーカー連結装置であって、
前記２台のベビーカーの前脚同士を連結するための前部連結部材と、
前記２台のベビーカーの後脚同士を連結するための後部連結部材と、
前記２台のベビーカーの手押しフレーム同士を連結するための上部連結部材と、
前記前部連結部材に固定された一端を有する第１リンク部材と、
前記後部連結部材に固定された一端および前記第１リンク部材の他端に回転自在に接続された他端を有する第２リンク部材と、
前記第１リンク部材および前記第２リンク部材の各他端に回転自在に接続された一端を有する第３リンク部材と、
前記第３リンク部材の他端に回転自在に接続された一端および前記上部連結部材に固定された他端を有する第４リンク部材と、を備えたベビーカー連結装置。
【請求項２】
前記ベビーカーに装着された状態において、横方向から見たときに、前記第１リンク部材、前記第２リンク部材、および前記第３リンク部材の各他端を回転自在に接続する中央関節部が、前記ベビーカーの前記前脚および前記後脚の各上端を回転自在に接続する関節部に略一致している、請求項１記載のベビーカー連結装置。
【請求項３】
前記ベビーカーに装着された状態において、横方向から見たときに、前記第３リンク部材および前記第４リンク部材を回転自在に接続する上部関節部が、前記ベビーカーのアームレストを前記手押しフレームに回転自在に接続する関節部に略一致している、請求項１または２に記載のベビーカー連結装置。
【請求項４】
前記第１リンク部材、前記第２リンク部材、前記第３リンク部材、および前記第４リンク部材のうちの少なくとも１つに物品受け部が形成されている、請求項１乃至３のいずれか一項に記載のベビーカー連結装置。
【請求項５】
前記前部連結部材の左右両端には、前記２台のベビーカーの前記前脚に解放可能に接続される前部固定具が設けられ、
前記後部連結部材の左右両端には、前記２台のベビーカーの前記後脚に解放可能に接続される後部固定具が設けられ、
前記上部連結部材の左右両端には、前記２台のベビーカーの前記手押しフレームに解放可能に接続される上部固定具が設けられている、請求項１乃至４のいずれか一項に記載のベビーカー連結装置。
【請求項６】
前記ベビーカーの前記前脚、前記後脚、および前記手押しフレームの少なくとも１つは、非円形の断面形状を有し、
前記前部固定具、前記後部固定具、および前記上部固定部の少なくとも１つは、前記非円形の断面形状に合致する固定面を有する、請求項５記載のベビーカー連結装置。
【請求項７】
前記第１リンク部材および前記第３リンク部材を前記第２リンク部材側に引き寄せた装置折畳み状態から、展開状態にある前記ベビーカーに装着したときの装置展開状態に切り換えるときに、前記第１リンク部材と前記第３リンク部材との間の角度が前記装置展開状態において制限されるように回転制限手段が設けられている、請求項１乃至６のいずれか一項に記載のベビーカー連結装置。
【発明の詳細な説明】
【技術分野】
【０００１】
本発明は、２台のベビーカーを横並びで連結するためのベビーカー連結装置に関する。
【背景技術】
【０００２】
従来、双子用ベビーカーとして、乳幼児二人が横に並んで乗るタイプや、乳幼児二人が前後に並んで乗るタイプなどがある。双子用ベビーカーは、一体構造の車体に乳幼児二人分のシートを設ける設計である。そのため、乳幼児一人を乗せる場合でも、一人分のみを切り離して使用することはできない。【０００３】
また、例えば年子の乳幼児の場合、一人目の乳幼児用に購入したベビーカーと、二人目の乳幼児用に後から購入したベビーカーとを、必要に応じて連結して双子用ベビーカーのように使用できれば便利である。
【発明の概要】
【発明が解決しようとする課題】
【０００４】
しかしながら、一人用のベビーカー２台を連結して使用するためには、その連結強度を十分に確保する必要がある。また、一人用のベビーカー２台を連結した状態において、不使用時には展開状態から折畳み状態に切り換えて、収納の容易化を図ることが望ましい。【０００５】
本発明は、上述した事情に鑑みてなされたものであって、ベビーカー２台を堅固に連結可能であり、また、連結状態にある２台のベビーカーを展開状態から折畳み状態へと切換え可能とするベビーカー連結装置を提供することを目的とする。
【課題を解決するための手段】
【０００６】
上記課題を解決するために、本発明の第１の態様は、２台のベビーカーを横並びで連結するためのベビーカー連結装置であって、前記２台のベビーカーの前脚同士を連結するための前部連結部材と、前記２台のベビーカーの後脚同士を連結するための後部連結部材と、前記２台のベビーカーの手押しフレーム同士を連結するための上部連結部材と、前記前部連結部材に固定された一端を有する第１リンク部材と、前記後部連結部材に固定された一端および前記第１リンク部材の他端に回転自在に接続された他端を有する第２リンク部材と、前記第１リンク部材および前記第２リンク部材の各他端に回転自在に接続された一端を有する第３リンク部材と、前記第３リンク部材の他端に回転自在に接続された一端および前記上部連結部材に固定された他端を有する第４リンク部材と、を備えたことを特徴とする。【０００７】
本発明の第２の態様は、第１の態様において、前記ベビーカーに装着された状態において、横方向から見たときに、前記第１リンク部材、前記第２リンク部材、および前記第３リンク部材の各他端を回転自在に接続する中央関節部が、前記ベビーカーの前記前脚および前記後脚の各上端を回転自在に接続する関節部に略一致している、ことを特徴とする。【０００８】
本発明の第３の態様は、第１または第２の態様において、前記ベビーカーに装着された状態において、横方向から見たときに、前記第３リンク部材および前記第４リンク部材を回転自在に接続する上部関節部が、前記ベビーカーのアームレストを前記手押しフレームに回転自在に接続する関節部に略一致している、ことを特徴とする。【０００９】
本発明の第４の態様は、第１乃至第３のいずれかの態様において、前記第１リンク部材、前記第２リンク部材、前記第３リンク部材、および前記第４リンク部材のうちの少なくとも１つに物品受け部が形成されている、ことを特徴とする。【００１０】
本発明の第５の態様は、第１乃至第４のいずれかの態様において、前記前部連結部材の左右両端には、前記２台のベビーカーの前記前脚に解放可能に接続される前部固定具が設けられ、前記後部連結部材の左右両端には、前記２台のベビーカーの前記後脚に解放可能に接続される後部固定具が設けられ、前記上部連結部材の左右両端には、前記２台のベビーカーの前記手押しフレームに解放可能に接続される上部固定具が設けられている、ことを特徴とする。【００１１】
本発明の第６の態様は、第５の態様において、前記ベビーカーの前記前脚、前記後脚、および前記手押しフレームの少なくとも１つは、非円形の断面形状を有し、前記前部固定具、前記後部固定具、および前記上部固定部の少なくとも１つは、前記非円形の断面形状に合致する固定面を有する、ことを特徴とする。【００１２】
本発明の第７の態様は、第１乃至第６のいずれかの態様において、前記第１リンク部材および前記第３リンク部材を前記第２リンク部材側に引き寄せた装置折畳み状態から、展開状態にある前記ベビーカーに装着したときの装置展開状態に切り換えるときに、前記第１リンク部材と前記第３リンク部材との間の角度が前記装置展開状態において制限されるように回転制限手段が設けられている、ことを特徴とする。
【発明の効果】
【００１３】
本発明によれば、ベビーカー２台を堅固に連結可能であり、また、連結状態にある２台のベビーカーを展開状態から折畳み状態へと切換え可能とするベビーカー連結装置を提供することができる。
【図面の簡単な説明】
【００１４】
【図１】本発明の一実施形態によるベビーカー連結装置を示した斜視図。
【図２】図１に示したベビーカー連結装置をベビーカー（一部のみ表示）に装着した状態を展開状態で示した斜視図。
【図３】図１に示したベビーカー連結装置をベビーカー（一部のみ表示）に装着した状態を折畳み状態で示した斜視図。
【図４】図１に示したベビーカー連結装置によって２台のベビーカーを横並びで連結した状態を模式的に示した正面図。
【図５】図１に示したベビーカー連結装置のリンク構造を展開状態で示した斜視図。
【図６】図１に示したベビーカー連結装置のリンク構造を展開状態で示した側面図。
【図７】図１に示したベビーカー連結装置のリンク構造を折畳み状態で示した側面図。
【図８】図１に示したベビーカー連結装置の固定具の構造を説明するための図。
【図９】図１に示したベビーカー連結装置をベビーカーに装着した状態のリンク構造を展開状態で示した側面図。
【図１０】図１に示したベビーカー連結装置をベビーカーに装着した状態のリンク構造を折畳み状態で示した側面図。
【図１１】本発明の他の実施形態によるベビーカー連結装置を示した斜視図。
【図１２】図１１に示したベビーカー連結装置を側方から見た図。
【図１３】図１１に示したベビーカー連結装置を折畳み状態で示した斜視図。
【図１４】図１１に示したベビーカー連結装置をベビーカー（一部のみ表示）に装着した状態を展開状態で示した斜視図。
【図１５】図１１に示したベビーカー連結装置をベビーカー（一部のみ表示）に装着した状態を折畳み状態で示した斜視図。
【図１６】図１および図１１に示したベビーカー連結装置を用いて連結されるベビーカーの一例を示した斜視図。
【図１７】図１６に示したベビーカーの車体構造を示した斜視図。
【図１８】図１６に示したベビーカーのリンク構造を展開状態で示した側面図。
【図１９】図１６に示したベビーカーのリンク構造を折畳み状態で示した側面図。
【図２０】ベビーカー連結装置の固定具の他の例を示した図。
【図２１】ベビーカー連結装置の固定具の他の例を示した図。
【図２２】ベビーカー連結装置の固定具の他の例を示した図。
【図２３】ベビーカー連結装置の固定具の他の例を示した図。
【図２４】ベビーカー連結装置の固定具の他の例を示した図。
【図２５】ベビーカー連結装置の固定具の他の例を示した図。
【図２６】ベビーカー連結装置の固定具の他の例を示した図。
【発明を実施するための形態】
【００１５】
以下、本発明の一実施形態によるベビーカー連結装置について、図面を参照して説明する。
【００１６】
まず初めに、本実施形態によるベビーカー連結装置を用いて、２台横並びで連結されるベビーカーの一例について、図１６乃至図１９を参照して説明する。
【００１７】
なお、本実施形態によるベビーカー連結装置を用いて連結されるベビーカーは、図１８にリンク構造で示した展開状態（使用時）と、図１９にリンク構造で示した折畳み状態（収納時）との間で変形可能である。以下では、展開状態を中心としてベビーカーの構成を説明する。
【００１８】
図１６に示したように、ベビーカー５０は、車体５１と、車体５１に支持されたシート５２と、シート５２の上方に配置されるフード５３と、シート５２の下方に配置されるバスケット５４とを備えている。
【００１９】
図１７に示したように、車体５１は、フレーム部５５と、そのフレーム部５５を移動自在に支持する前輪５６及び後輪５７とを備えている。フレーム部５５は、車体５１のフレーム構造を構成する部分である。すなわち、フレーム部５５は、ベビーカー５０（車体５１）の左右方向（幅方向）の両側に配置された一対の前脚５８、一対の後脚５９及び一対のアームレスト６０と、左右のアームレスト６０を結ぶように配置された単一の手押しフレーム６１と、左右の前脚５８の下部を相互に連結する前部横断部材としてのステップ６２、左右の後脚５９の下部を相互に連結する後部横断部材６３とを備えている。前輪５６は前脚５８の下端に設けられ、後輪５７は後脚５９の下端に設けられている。
【００２０】
車体５１の左右方向一方の側において、前脚５８及び後脚５９のそれぞれの上端部と、アームレスト６０の下端の脚取付部６４とは支点ピン６５を介して相互に回転自在に連結されている。車体５１の他方の側に関しても同様である。
【００２１】
手押しフレーム６１は、左右一対のハンドル杆６６と、それらのハンドル杆６６の上部を結ぶように延ばされたグリップ杆６７とを備えている。各ハンドル杆６６は、その途中の屈曲部６６ａを境として上杆部６６ｂ及び下杆部６６ｃの二つの部位に区分可能な形状を有している。ただし、上杆部６６ｂ及び下杆部６６ｃは、単一の金属製のパイプ材を曲げ成形することにより一体に形成されている。
【００２２】
下杆部６６ｃには上部ブラケット６８がリベットを介して移動不可能に取り付けられている。上部ブラケット６８には、アームレスト６０の上端部が上部ピン６９を介して取り付けられている。それにより、アームレスト６０と手押しフレーム６１のハンドル杆６６とは、上部ピン６９を支点として相互に回転自在である。
【００２３】
また、ハンドル杆６６の下杆部６６ｃの下端には、前部連動杆（前部連動部材）７０の後端部、及び後部連動杆（後部連動部材）７１の前端部が下部ピン７２を介して回転自在に連結されている。前部連動杆７０の前端部は前脚５８と前部連結ピン７３を介して回転自在に連結されている。後部連動杆７１の後端部は後脚５９と後部連結ピン７４を介して回転自在に連結されている。
【００２４】
さらに、後脚５９には下部ブラケット７５が固定されている。ベビーカー５０が展開状態にあるとき、ハンドル杆６６の下端は下部ブラケット７５に当接して後脚５９により上下方向に受け止められる。下部ピン７２の周囲には、ベビーカー５０を展開状態及び折畳み状態に拘束するための開閉ロック機構７６が設けられている。なお、下部ブラケット７５は後脚５９と一体に形成されてもよい。
【００２５】
前脚５８、後脚５９、アームレスト６０、ハンドル杆６６、前部連動杆７０及び後部連動杆７１は、車体５１のフレーム部５５の左右においてリンク機構をそれぞれ形成する。左右のリンク機構の構成は同一である。開閉ロック機構７６による車体５１の拘束を解除して、リンク機構の構成部品をそれぞれの連結点の回りに回転させることにより、ベビーカー５０を展開状態と折畳み状態との間で変形させることができる。
【００２６】
展開状態のベビーカー５０を車体５１の左右方向から見たとき、手押しフレーム６６の上杆部６６ｂと、アームレスト６０と前脚５８とは直線的に並べられている。
【００２７】
次に、本実施形態によるベビーカー連結装置について、図面を参照して説明する。
【００２８】
図１乃至図３に示したように、本実施形態によるベビーカー連結装置１は、２台のベビーカー５０の前脚５８同士を連結するための前部連結部材２と、２台のベビーカー５０の後脚５９同士を連結するための後部連結部材３と、２台のベビーカー５０の手押しフレーム６１同士を連結するための上部連結部材４と、を有する。前部連結部材２、後部連結部材３、および上部連結部材４は、左右方向に延在する略棒状の部材であり、互いに共通の長さを有している。
【００２９】
ベビーカー連結装置１は、さらに、前部連結部材２、後部連結部材３、および上部連結部材４を互いに連結するための第１リンク部材５、第２リンク部材６、第３リンク部材７、および第４リンク部材８を有する。
【００３０】
第１リンク部材５の一端が、前部連結部材２の左右方向中央部に固定され、第２リンク部材６の一端が後部連結部材３の左右方向中央部に固定されている。第１リンク部材５の他端は、左右方向に延在する中央回転軸線９周りに回転自在に、第２リンク部材６の他端に接続されている。
【００３１】
第３リンク部材７の一端が、第１リンク部材５および第２リンク部材６の各他端に、中央回転軸線９周りに回転自在に接続されている。第３リンク部材７の他端には、第４リンク部材８の一端が、左右方向に延在する上部回転軸線１０周りに回転自在に接続されている。第４リンク部材８の他端は、上部連結部材４の左右方向中央部に固定されている。
【００３２】
図４に示したように、本実施形態によるベビーカー連結装置１は、横並びに配置した２台のベビーカー５０の側面同士を連結する。
【００３３】
上記構成を備えたベビーカー連結装置１は、図５乃至図７に示したように中央関節部１１および上部関節部１２を備えており、両関節部１１、１２周りに第１乃至第４リンク部材５〜８を回転させることにより、装置全体を装置展開状態（図６）と装置折畳み状態（図７）とで切り換えることができる。
【００３４】
図１乃至図３に示したように、ベビーカー連結装置１には、装置折畳み状態から装置展開状態に切り換えるときに、第１リンク部材５と第３リンク部材７との間の角度が装置展開状態において制限されるように回転制限手段１３が設けられている。すなわち、回転制限手段１３は、第３リンク部材７の先端部が第１リンク部材５の前側の表面に当接されることにより、図１に示した装置展開状態で、第１リンク部材５と第３リンク部材７のとの相対的な回転動作が制限されるように構成されている。
【００３５】
第３リンク部材７には、カップホルダーや小物入れとして機能する物品受け部１４が形成されている。物品受け部１４は、展開状態において物品を載置できる姿勢となるように形成されている。なお、物品受け部１４の形成箇所は、第３リンク部材７に限られず、第１リンク部材５、第２リンク部材６、或いは第４リンク部材８に物品受け部１４を形成することもできる。
【００３６】
図１乃至図３に示したように、ベビーカー連結装置１の前部連結部材２の左右両端には、２台のベビーカー５０の前脚５８に解放可能に接続される前部固定具１５が設けられている。同様に、後部連結部材３の左右両端には、２台のベビーカー５０の後脚５９に解放可能に接続される後部固定具１６が設けられている。さらに、上部連結部材４の左右両端には、２台のベビーカー５０の手押しフレーム６６に解放可能に接続される上部固定具１７が設けられている。
【００３７】
図８に示したように、ベビーカー５０の前脚５８、後脚５９、および手押しフレーム６６は、それぞれ、非円形の断面形状を有しており、前部固定具１５、後部固定具１６、および上部固定部１７のそれぞれは、ベビーカー５０の前脚５８、後脚５９、および手押しフレーム６６のそれぞれの非円形の断面形状に合致する固定面を有している。
【００３８】
前部固定具１５、後部固定具１６、および上部固定具１７は、それぞれ、前部連結部材２、後部連結部材３、および後部連結部材４に一端が回転自在に接続された開閉片１８を有する。開閉片１８の他端には、係止片１９の一端が回転自在に接続されている。係止片１９の先端部内面には、テーパ面を有する突部２０が形成されており、この突部２０のテーパ面は、連結部材２、３、４側に形成された突部２１のテーパ面と係合する。両テーパ面を介して固定具１５、１６、１７側の突部２０と連結部材２、３、４側の突部２１とを摺動させ、両突部２０、２１間をスナップ結合で固定する。
【００３９】
上述したように、非円形断面の固定面によってベビーカー連結装置１の前部固定具１５、後部固定具１６、および上部固定具１７を、ベビーカー５０の前脚５８、後脚５９、および手押しフレーム６６に固定することにより、前脚５８、後脚５９、および手押しフレーム６６の各長手軸線周りでのベビーカー連結装置１の前部固定具１５、後部固定具１６、および上部固定具１７の回転が制限される。そのため、ベビーカー連結装置１によって２台のベビーカー５０を堅固に連結することができる。
【００４０】
図９および図１０に示したように、本実施形態によるベビーカー連結装置１は、ベビーカー５０に装着された状態において、横方向から見たときに、第１リンク部材５、第２リンク部材６、および第３リンク部材７の各他端を回転自在に接続する中央関節部１１が、ベビーカー５０の前脚５８および後脚５９の各上端を回転自在に接続する関節部に略一致している。
【００４１】
また、本実施形態によるベビーカー連結装置１は、ベビーカー５０に装着された状態において、横方向から見たときに、第３リンク部材７および第４リンク部材８を回転自在に接続する上部関節部１２が、ベビーカー５０のアームレスト６０を手押しフレーム６６に回転自在に接続する関節部に略一致している。
【００４２】
また、本実施形態によるベビーカー連結装置１は、ベビーカー５０に装着された状態において、横方向から見たときに、第１リンク部材５、第２リンク部材６、および第３リンク部材７が、それぞれ、ベビーカーの前脚５８、後脚５９、およびアームレスト６０に略一致している。なお、展開状態においては、第１リンク部材５および第３リンク部材７が全体として略直線状を成している。
【００４３】
上記の通り、ベビーカー連結装置１の中央関節部１１および上部関節部１２が、それぞれ、横方向から見たときに、ベビーカー５０の各関節部に略一致しているので、図９に示した展開状態から図１０に示した折畳み状態へと切り換える際に、ベビーカー連結装置１の形状が、ベビーカー５０の形状の変化に追従して変化する。そのため、折畳み操作時にベビーカー連結装置１に無理な力が加えられることがなく、円滑な折畳み操作を実現することができる。
【００４４】
なお、ベビーカー連結装置１の各関節部１１、１２の回転軸線９、１０と、ベビーカー５０の各関節部の回転軸線とは、必ずしも完全に一致する必要なく、両回転軸線が多少ずれていても折畳み操作は可能である。
【００４５】
以上述べたように本実施形態によるベビーカー連結装置１によれば、複数の部品を一体化して構成したベビーカー連結装置１によって、ベビーカー２台を横並びで堅固に連結することができる。
【００４６】
また、ベビーカー連結装置１を一体化構成としたことにより、各固定具１５、１６、１７のベビーカー５０に対する固定位置が自ずと決まるので、誤組付を防止することができる。
【００４７】
また、ベビーカー連結装置１の各関節部１１、１２をベビーカー５０の各関節部に合わせたことにより、連結状態にある２台のベビーカー５０を展開状態から折畳み状態へと円滑に切り換えることができる。
【００４８】
また、各ベビーカー５０を個別に使用する場合には、ベビーカー連結装置１の各固定具１５、１６、１７を外すことにより、簡単に個別使用が可能となる。
【００４９】
また、ベビーカー連結装置１に物品受け部１４を設けたことにより、付加価値を高めることができる。
【００５０】
次に、本発明の他の実施形態によるベビーカー連結装置について、図１１乃至図１５を参照して説明する。なお、図１１乃至図１５においては、図１に示した上記実施形態と共通の機能を有する部材には同一の符号を付している。
【００５１】
本実施形態によるベビーカー連結装置３０は、図１に示したベビーカー連結装置１と共通のリンク構造を備えているが、第３リンク部材７に物品受け部が設けられていない点、および第４リンク部材８の長さ寸法が大きくされている点において相違する。
【００５２】
すなわち、本実施形態によるベビーカー連結装置３０においては、図１１乃至図１３に示したように、第３リンク部材７が、ベビーカー５０（図１６参照）のアームレスト６０に類似した形状を有している。そのため、図１４及び図１５に示したように、ベビーカー５０のアームレスト６０とベビーカー連結装置３０の第３リンク部材７との間で、デザイン上の調和の度合いを高めることができる。
【００５３】
また、本実施形態によるベビーカー連結装置３０においては、第４リンク部材８の長さ寸法を大きくしたので、図１４および図１５に示したように、ベビーカー５０のハンドル杆６６とベビーカー連結装置３０の第４リンク部材８との間で、デザイン上の調和の度合いを高めることができる。
【００５４】
本実施形態によるベビーカー連結装置３０の他の作用効果については、図１に示したベビーカー連結装置１と同様の作用効果を得ることができる。
【００５５】
なお、本発明において、ベビーカー連結装置をベビーカーに固定するための固定具は、上述した構造のものには限られず、各種の固定具を用いることができる。
【００５６】
図２０乃至図２６は、そのような固定具の幾つかの例を示したものである。例えば、図２０に示したように、面ファスナーを備えた固定具３０を使用することができる。また、図２１に示したように、部材の弾性変形を利用して着脱するアタッチメント構造の固定具３１を使用することもできる。また、図２２に示したように、蝶番構造を備えて螺子止めするタイプの固定具３２を使用することもできる。また、図２３に示したように、留め金を備えた固定具３３を使用することもできる。また、図２４に示したように、ラチェット構造を備えた固定具３４を使用することもできる。また、図２５に示したように、マグネットによる吸着力を利用して固定する固定具３５を使用することもできる。また、図２６に示したように、スライド機構を備えた固定具３６を使用することもできる。
【符号の説明】
【００５７】
１、３０  ベビーカー連結装置
２  前部連結部材
３  後部連結部材
４  上部連結部材
５  第１リンク部材
６  第２リンク部材
７  第３リンク部材
８  第４リンク部材
９  中央回転軸線
１０  上部回転軸線
１１  中央関節部
１２  上部関節部
１３  回転制限手段
１４  物品受け部
１５  前部固定具
１６  後部固定具
１７  上部固定具
１８  開閉片
１９  係止片
２０  係止片側の突部
２１  連結部材側の突部
３０、３１、３２、３３、３４、３５、３６  固定具
【図１】
2016098671.tif 000003
【図２】
2016098671.tif 000004
【図３】
2016098671.tif 000005
【図４】
2016098671.tif 000006
【図５】
2016098671.tif 000007
【図６】
2016098671.tif 000008
【図７】
2016098671.tif 000009
【図８】
2016098671.tif 000010
【図９】
2016098671.tif 000011
【図１０】
2016098671.tif 000012
【図１１】
2016098671.tif 000013
【図１２】
2016098671.tif 000014
【図１３】
2016098671.tif 000015
【図１４】
2016098671.tif 000016
【図１５】
2016098671.tif 000017
【図１６】
2016098671.tif 000018
【図１７】
2016098671.tif 000019
【図１８】
2016098671.tif 000020
【図１９】
2016098671.tif 000021
【図２０】
2016098671.tif 000022
【図２１】
2016098671.tif 000023
【図２２】
2016098671.tif 000024
【図２３】
2016098671.tif 000025
【図２４】
2016098671.tif 000026
【図２５】
2016098671.tif 000027
【図２６】
2016098671.tif 000028
【国際調査報告】
2016098671.tif 000029
2016098671.tif 000030
2016098671.tif 000031
2016098671.tif 000032